(57)【特許請求の範囲】
【請求項１】
記録用紙に印刷可能な印刷手段と、複数枚の前記記録用紙を収納可能であると共に内部に昇降自在なホッパー部材を有する用紙トレーと、この用紙トレーに収納した前記記録用紙を前記印刷手段に搬送可能な給紙ローラと、前記記録用紙を昇降させて前記給紙ローラに圧接状態、または非圧接状態に操作可能な昇降手段とを有し、前記印刷手段による前記記録用紙への印刷時は、前記昇降手段によって前記ホッパ部材を上昇させて前記記録用紙を前記給紙ローラに前記圧接状態とし、前記印刷手段が非印刷時には、前記昇降手段により前記ホッパー部材を降下させて前記記録用紙の前記給紙ローラに対する前記圧接状態を解除して前記非圧接状態とするようにしたプリンタであって、
上下動可能な可動部材を有し、この可動部材は、前記用紙トレーの両側壁から突出させた当接部を有し、前記ホッパー部材と前記昇降手段との間に介在され、前記昇降手段により前記可動部材を介して前記ホッパー部材が昇降可能となっており、前記昇降手段は、前記当接部に当接させた状態で前記ホッパー部材を昇降可能に支持するレバーと、このレバーが上方に弾性付与されて前記ホッパー部材を上昇させる弾性部材と、この弾性部材の付与力に抗して前記レバーを押し下げ可能なカム部材とで構成され、前記弾性部材の付与力で前記レバーが前記可動部材を介し前記ホッパー部材を上昇させて前記圧接状態とし、この圧接状態から前記カム部材により前記レバーを押し下げ、前記ホッパー部材を降下させて前記非圧接状態となるようにしたことを特徴としたプリンタ。
【請求項２】
前記レバーは、一方側を回動支点として他方側の自由端部が回動して昇降可能となし、前記カム部材による前記自由端部の昇降により、前記ホッパー軸を介して前記ホッパー部材を昇降させるようにしたことを特徴とする請求項１記載のプリンタ。
【請求項３】
前記カム部材は前記給紙ローラと同軸上に配設され、前記給紙ローラとは独立して回転可能となし、前記カム部材は半径の異なる円弧状のカム部が形成され、前記カム部材を回転させることにより前記レバーの前記自由端部を降下させるようにしたことを特徴とする請求項１、または２記載のプリンタ。
【請求項４】
前記レバーは、前記弾性部材の付与によって前記自由端部が牽引されて上昇するようにしたことを特徴とする請求項３記載のプリンタ。
【請求項５】
前記カム部材は、半径の大きい方の前記カム部に位置決め部が形成され、前記レバーは、前記自由端部に前記位置決め部が係合可能な係合部を有し、前記カム部で前記レバーを降下させた位置において、前記位置決め部が前記係合部に係合して、前記カム部材の回転を規制するようにしたことを特徴とする請求項３、または４記載のプリンタ。
【請求項６】
トレー挿入口を有するトレー装着部を備えた本体部を有し、前記用紙トレーは、前記トレー装着部に着脱可能となし、前記昇降手段は前記トレ−装着部内に配設され、前記レバーは前記自由端部が前記トレ−装着部内の奥側に位置すると共に、前記回動支点が前記トレ−挿入口寄りに取り付けられ、前記用紙トレ−は、前記カム部材によって前記レバーの前記自由端部が降下時のみにおいて、前記トレ−装着部に着脱可能としたことを特徴とする請求項２乃至５のいずれか１項に記載のプリンタ。
【請求項７】
前記トレ−装着部に前記用紙トレーを装着した時、前記用紙トレーに形成した位置決め部が前記トレー装着部に形成した係合部に係合して前記用紙トレーが前記トレー装着部に装着状態で位置決めされるようにしたことを特徴とする請求項６記載のプリンタ。
【請求項８】
前記用紙トレ−は、前記レバーが係脱可能なレバー係脱溝を有し、前記用紙トレーを前記トレ−装着部に前記装着状態で、前記レバーの上昇時は、前記レバー係脱溝に前記レバーが位置して、前記用紙トレーの前記トレ−装着部からの取り出しができないようにしたことを特徴とする請求項６、または７記載のプリンタ。
【請求項９】
前記トレ−装着部に前記用紙トレーが非装着状態で、前記レバーの前記自由端部が上昇時は、前記用紙トレ−の前記トレ−装着部への装着を阻止するためのストッパ部を前記レバーに形成したことを特徴とする請求項６乃至８のいずれか１項に記載のプリンタ。
【請求項１０】
前記用紙トレ−は、前記レバーの前記自由端部の昇降によって、水平状態で昇降可能な第１ホッパー部材を有する第１用紙トレ−と、一方側を回動支点として他方側が昇降可能な第２ホッパー部材を有する第２用紙トレ−とを設け、前記本体部には、前記第１と第２用紙トレ−とを着脱可能な２つの前記装着部を有することを特徴とする請求項６乃至９のいずれか１項に記載のプリンタ。
【請求項１１】
前記第１ホッパー部材は、２本の交差状に組み合わせた支持部材により水平状態で昇降可能に支持され、前記第１ホッパー部材に載置する記録用紙は、はがき等の厚紙から成り、前記第１ホッパー部材に載置した前記厚紙から成る記録用紙を前記給紙ローラに対して水平状態で昇降させるようにしたことを特徴とする請求項１０記載のプリンタ。
【請求項１２】
前記第２ホッパー部材に載置する記録用紙は、前記はがきより薄くてサイズの大きなコピー紙等の薄紙から成り、前記第２ホッパー部材に載置した前記薄紙から成る記録用紙を、前記第２ホッパー部材の前記他方側の昇降により、前記記録用紙の前記搬送方向の下流側を前記給紙ローラに前記圧接状態、前記非圧接状態とするようにしたことを特徴とする請求項１１記載のプリンタ。
【発明の詳細な説明】
【０００１】
【発明の属する技術分野】
本発明はプリンタに係わり、特に記録用紙に印刷時のみ給紙ローラに記録用紙を圧接するようにしたプリンタに関する。
【０００２】
【従来の技術】
従来のプリンタを例えば熱転写プリンタで図９に基づいて説明する。従来のプリンタは給紙部４０と、印刷手段４４とが配設されて構成されている。
前記給紙部４０には、複数枚の記録用紙２を収納可能な用紙トレー４１が装着可能になっており、用紙トレー４１内部の前方側底部には、回動可能なホッパー部材４２が配設されている。
このホッパ部材４２は、下面側に矢印Ａ方向の上方に弾性付勢する弾性部材（図示せず）が配設され、支点４２ａを回動中心として前方部４２ｂが回動可能になっている。
【０００３】
前記ホッパ部材４２には、用紙トレー４１に収納している記録用紙２の前端部２ａ寄りが載置されるようになっている。前記用紙トレー４１に収納した記録用紙２の搬送方向Ｂの下流側上方には、図示反時計回り方向の矢印方向に回転可能な給紙ローラ４３が配設されている。
この給紙ローラ４３には、ホッパー部材４２に載置された最上部の記録用紙２の前端部２ａ寄りが弾性付勢されて圧接されている。
そして、給紙ローラ４２を反時計回り方向に回転させることで、用紙トレー４１内の記録用紙２を１枚づつ分離して、用紙搬送方向Ｂの下流側の印刷手段４４に搬送可能になっている。
【０００４】
前記印刷手段４４には、平板状のプラテン４５と、このプラテン４４と対向する図示上方にプラテン４５に対して接離可能なサーマルヘッド４６が、矢印Ｃ方向に移動可能に配設されている。
また、印刷手段４４には、用紙搬送方向Ｂのプラテン４５の上流側に、回転自在な紙送りローラ４７とこの紙送りローラ４７に圧接する圧接ローラ４８とが配設されている。
【０００５】
このような従来のプリンタによる記録用紙２への印刷動作を説明すると、まず、用紙トレー４１内に収納している最上端の記録用紙２の前端部２ａをホッパ部材４２により、下方から弾性付勢して給紙ローラ４３に圧接する。
この状態から、給紙ローラ４３を矢印方向の反時計回り方向に回転させて、記録用紙２を用紙搬送方向Ｂに搬送する。
そして、印刷手段４４に送られてきた記録用紙２を紙送りローラ４７と圧接ローラ４８とで圧接狭持して、紙送りローラも図示時計回り方向の回転で、記録用紙２を紙送りローラ４７の下流側に搬送する。
【０００６】
前記紙送りローラ４７の下流側に配設されている、離間状態にあるプラテン４５とサーマルヘッド４６の間を記録用紙２の前端部２ａを通過させ、記録用紙２の印刷開始位置をサーマルヘッド４６の発熱素子（図示せず）が形成された部分に位置あわせして紙送りローラ４７と給紙ローラ４３の回転を停止する。
前記サーマルヘッド４６と記録用紙２との間には、所望の色のインクが塗布されたインクリボン（図示せず）が配設されている。
そして、印刷手段４４において、サーマルヘッド４６をプラテン４５側に移動させて、インクリボンと記録用紙２とをプラテン４４に圧接し、サーマルヘッド４６の発熱素子（図示せず）を選択的に発熱させて、記録用紙２にインクリボン（図示せず）のインクを熱転写して所望の画像を印刷するようになっている。
【０００７】
このような従来のプリンタは、給紙部４０に装着した用紙トレー４１に収納している記録用紙２が、ホッパ部材４２の作用で、給紙ローラ４３に常に圧接状態になって、印刷指令があると、即、最上端の記録用紙２を下流側の印刷手段４４に搬送することができるようになっている。
【０００８】
【発明が解決しようとする課題】
しかし、前述したような従来のプリンタは、記録用紙２を収納した用紙トレー４１を給紙部４０に装着している間は、用紙トレー４１内の記録用紙２はホッパー部材４２の作用で給紙ローラ４３に常に圧接されているので、長時間印刷を行わない非印刷時に、給紙ローラ４３に常時圧接している部分の記録用紙２が変形し、前端部２ａがカールしたりして、下流側の印刷手段４４にこの記録用紙２を搬送したときに、紙送りローラ４７と圧接ローラ４８との間で紙ジャム等の搬送障害が発生するおそれがあった。
また、紙送りローラ４７と圧接ローラ４８との間に前端部２ａを狭持できたとしても、サーマルヘッド４６に記録用紙２が引っかかって、紙ジャム等が発生するおそれがあった。
本発明は、前述したような問題点に鑑みてなされたもので、印刷を行ってない非印刷時は、記録用紙の給紙ローラへの圧接を解除するようにして、記録用紙の変形を防いで、給紙時に紙ジャム等の搬送障害のない安定した給紙が可能なプリンタを提供することを目的とする。
【０００９】
【課題を解決するための手段】
前記課題を解決するための第１の手段として本発明のプリンタは、記録用紙に印刷可能な印刷手段と、複数枚の前記記録用紙を収納可能であると共に内部に昇降自在なホッパー部材を有する用紙トレーと、この用紙トレーに収納した前記記録用紙を前記印刷手段に搬送可能な給紙ローラと、前記記録用紙を昇降させて前記給紙ローラに圧接状態、または非圧接状態に操作可能な昇降手段とを有し、前記印刷手段による前記記録用紙への印刷時は、前記昇降手段によって前記ホッパ部材を上昇させて前記記録用紙を前記給紙ローラに前記圧接状態とし、前記印刷手段が非印刷時には、前記昇降手段により前記ホッパー部材を降下させて前記記録用紙の前記給紙ローラに対する前記圧接状態を解除して前記非圧接状態とするようにしたプリンタであって、
上下動可能な可動部材を有し、この可動部材は、前記用紙トレーの両側壁から突出させた当接部を有し、前記ホッパー部材と前記昇降手段との間に介在され、前記昇降手段により前記可動部材を介して前記ホッパー部材が昇降可能となっており、前記昇降手段は、前記当接部に当接させた状態で前記ホッパー部材を昇降可能に支持するレバーと、このレバーが上方に弾性付与されて前記ホッパー部材を上昇させる弾性部材と、この弾性部材の付与力に抗して前記レバーを押し下げ可能なカム部材とで構成され、前記弾性部材の付与力で前記レバーが前記可動部材を介し前記ホッパー部材を上昇させて前記圧接状態とし、この圧接状態から前記カム部材により前記レバーを押し下げ、前記ホッパー部材を降下させて前記非圧接状態となるような構成とした。
【００１０】
また、前記課題を解決するための第２の解決手段として、前記レバーは、一方側を回動支点として他方側の自由端部が回動して昇降可能となし、前記カム部材による前記自由端部の昇降により、前記ホッパー軸を介して前記ホッパー部材を昇降させるような構成とした。
【００１１】
また、前記課題を解決するための第３の解決手段として、前記カム部材は前記給紙ローラと同軸上に配設され、前記給紙ローラとは独立して回転可能となし、前記カム部材は半径の異なる円弧状のカム部が形成され、前記カム部材を回転させることにより前記レバーの前記自由端部を降下させるような構成とした。
【００１２】
また、前記課題を解決するための第４の解決手段として、前記レバーは、前記弾性部材の付与によって前記自由端部が牽引されて上昇するような構成とした。
【００１３】
また、前記課題を解決するための第５の解決手段として、前記カム部材は、半径の大きい方の前記カム部に位置決め部が形成され、前記レバーは、前記自由端部に前記位置決め部が係合可能な係合部を有し、前記カム部で前記レバーを降下させた位置において、前記位置決め部が前記係合部に係合して、前記カム部材の回転を規制するような構成とした。
【００１４】
また、前記課題を解決するための第６の解決手段として、トレー挿入口を有するトレー装着部を備えた本体部を有し、前記用紙トレーは、前記トレー装着部に着脱可能となし、前記昇降手段は前記トレ−装着部内に配設され、前記レバーは前記自由端部が前記トレ−装着部内の奥側に位置すると共に、前記回動支点が前記トレ−挿入口寄りに取り付けられ、前記用紙トレ−は、前記カム部材によって前記レバーの前記自由端部が降下時のみにおいて、前記トレ−装着部に着脱可能とした構成とした。
【００１５】
また、前記課題を解決するための第７の解決手段として、前記トレ−装着部に前記用紙トレーを装着した時、前記用紙トレーに形成した位置決め部が前記トレー装着部に形成した係合部に係合して前記用紙トレーが前記トレー装着部に装着状態で位置決めされるような構成とした。
【００１６】
また、前記課題を解決するための第８の解決手段として、前記用紙トレ−は、前記レバーが係脱可能なレバー係脱溝を有し、前記用紙トレーを前記トレ−装着部に前記装着状態で、前記レバーの上昇時は、前記レバー係脱溝に前記レバーが位置して、前記用紙トレーの前記トレ−装着部からの取り出しができないような構成とした。
【００１７】
また、前記課題を解決するための第９の解決手段として、前記トレ−装着部に前記用紙トレーが非装着状態で、前記レバーの前記自由端部が上昇時は、前記用紙トレ−の前記トレ−装着部への装着を阻止するためのストッパ部を前記レバーに形成した構成とした。
【００１８】
また、前記課題を解決するための第１０の解決手段として、前記用紙トレ−は、前記レバーの前記自由端部の昇降によって、水平状態で昇降可能な第１ホッパー部材を有する第１用紙トレ−と、一方側を回動支点として他方側が昇降可能な第２ホッパー部材を有する第２用紙トレ−とを設け、前記本体部には、前記第１と第２用紙トレ−とを着脱可能な２つの前記装着部を有する構成とした。
【００１９】
また、前記課題を解決するための第１１の解決手段として、前記第１ホッパー部材は、２本の交差状に組み合わせた支持部材により水平状態で昇降可能に支持され、前記第１ホッパー部材に載置する記録用紙は、はがき等の厚紙から成り、前記第１ホッパー部材に載置した前記厚紙から成る記録用紙を前記給紙ローラに対して水平状態で昇降させるような構成とした。
【００２０】
また、前記課題を解決するための第１２の解決手段として、前記第２ホッパー部材に載置する記録用紙は、前記はがきより薄くてサイズの大きなコピー紙等の薄紙から成り、前記第２ホッパー部材に載置した前記薄紙から成る記録用紙を、前記第２ホッパー部材の前記他方側の昇降により、前記記録用紙の前記搬送方向の下流側を前記給紙ローラに前記圧接状態、前記非圧接状態とするようにした構成とした。
【００２４】
【発明の実施の形態】
以下、本発明のプリンタを熱転写プリンタで説明する。まず、本発明のプリンタは、図２に示すように、鉄板等の金属で覆われて本体部１が形成され、この本体部１の図示下方側に給紙部３が形成されている。
この給紙部３は、２点鎖線で示すような第１、第２トレー装着部４、５の２つのトレー装着部４，５が形成されており、第１、第２トレー装着部４、５は、それぞれトレー挿入口４ａ、５ａを有している。
前記第１トレー装着部４には、図３に示すような第１用紙トレー６が装着可能になっており、第１用紙トレー６は、複数枚のはがき等の厚紙から成る記録用紙２を収納可能になっている。
また、第２トレー装着部５には、図４に示すような、第２用紙トレー７が装着可能になっており、第２用紙トレー７は、サイズがＡ４サイズ等の大きさで、コピー紙等のはがきより薄い薄紙から成る記録用紙２を収納可能になっている。
【００２５】
前記第１用紙トレー６は、図３に示すように、周囲を矩形状の側壁６ａで囲まれた、はがき等の厚紙から成る記録用紙２を収納可能な収納部６ｂが所定の深さで形成されている。
また、図３に示す第１用紙トレー６は、側壁６ａの右寄りに後述するレバー１５、１６が係脱可能な、所定の幅と深さのレバー係脱溝６ｃが形成されている。
前記レバー係脱溝６ｃが形成された部分の側壁６ａには、後述する可動部材１０を上下動可能に保持する縦長のガイド孔６ｄが貫通形成されている。
【００２６】
前記レバー係脱溝６ｃ、及びガイド孔６ｄは、側壁６ａと対向する側の側壁（図示せず）にもそれぞれ形成されている。また、図３に示す第１用紙トレー６の右側端部寄りの下部には、凹状の位置決め部６ｅが形成され、第１用紙トレー６を第１トレー装着部４に装着すると、位置決め部６ｅが第１トレー装着部４に形成した係合部（図示せず）に係合して、第１用紙トレー６を第１トレー装着部４に装着位置で位置決めするようになっている。
【００２７】
前記収納部６ｂの底部には、２本の支持棒８ａ、８ｂを支持部８ｃで交差状に組み合わせた支持部材８が配設され、この支持部材８の上に平板状の第１ホッパー部材９が取り付けられている。
前記支持部材８は、支持部８ｃを支点としてパンタグラフのように動作することで、第１ホッパー部材９が収納部６ｂ内を水平状態で昇降可能になっている。
【００２８】
前記縦長のガイド孔６ｄには、第１ホッパー部材９と、後述する昇降手段１４のレバー１５、１６との間に配設された、棒状の第１可動部材１０が保持されている。
この第１可動部材１０は、記録用紙２を後述する印刷手段２１側に搬送する搬送方向Ｄと直交する方向に配設され、ガイド孔６ｄに昇降自在に挿入されている。
このような棒状の第１可動部材１０は、図６に示すように、両端部に当接部１０ａが形成され、レバー係脱溝６ｃが形成された部分の、互いに対向する両側壁６ａ、６ａから当接部１０ａを突出させた状態でガイド孔６ｄに配設されている。
前記当接部１０ａには、回転自在のパイプ状のカランが取り付けられている。
【００２９】
また、図４に示すような第２用紙トレー７は、周囲を矩形状の側壁７ａで囲まれた収納部７ｂが形成され、この収納部７ｂに前記薄紙から成る記録用紙２を収納可能に所定の深さで形成されている。
また、第２用紙トレー７は、図４の側壁７ａの右寄りに後述する昇降手段１４のレバー１５、１６が係脱可能な、所定の幅と深さでのレバー係脱溝７ｃが形成されている。
前記レバー係脱溝７ｃが形成された部分の側壁７ａには、縦長のガイド孔７ｄが貫通形成されている。
また、図４に示す第２用紙トレー７の下部右端部側には、凹状の位置決め部７ｅが形成され、第１トレー装着部４に第１用紙トレー６を装着したとき、位置決め部７ｅが第２トレー装着部５に形成した係合部（図示せず）に係合して、第２用紙トレー７を第１トレー装着部４に装着状態で位置決めするようになっている。
【００３０】
前記収納部７ｂ底部の図示右寄りには、平板状の第２ホッパー部材１１が配設されている。この第２ホッパー部材１１は、図示左側の一方側に形成された回動支点１１ａが収納部７ｂを構成する側壁７ａの内面に取り付けられ、回動支点１１ａを支点として、図示右側の他方側１１ｂが昇降可能になっている。
前記縦長のガイド孔７ｄには、第２ホッパー部材１１と後述する昇降手段１４のレバー１５、１６との間に配設された棒状の第２可動部材１２が保持されている。
この第２可動部材１２は薄紙から成る記録用紙２を後述する印刷手段２１側に搬送する搬送方向Ｄと直交する方向に配設されている。
そして、第２可動部材１２は、第１用紙トレー６と同様に、レバー係脱溝７ｃが形成された、互いに対向する両側壁７ａから両端部が突出して配設され、この両端部に当接部１３ａが形成されている。
この当接部１３ａには、第１可動部材１０と同様に回転自在のパイプ状のカランが取り付けられている。
【００３１】
前記第１、第２トレー装着部４、５の奥側の上方には、図１、２に示すような回転軸１３ａに固着された、破線で示すような複数の円柱状の給紙ローラ１３が等間隔で配設されている。
この給紙ローラ１３は、材質がゴム等から成り、図５に示すように外周表面には軸方向に筋状の凹凸が複数形成されて、外周表面に圧接される記録用紙２がスリップしにくいようになっている。
また、第１、第２トレー装着部４、５には、第１、第２用紙トレー６、７に収納した記録用紙２を昇降させて、給紙ローラ１３に圧接状態、または非圧接状態に操作可能な昇降手段１４がそれぞれ配設されている。
そして、例えば第１トレー装着部４側の昇降手段１４により、第１用紙トレー６の第１ホッパー部材９を昇降させ、図５に示す、第１トレー装着部４に装着状態の第１用紙トレー６に収納している、はがき等の厚紙から成る記録用紙２を給紙ローラに対して圧接状態、または非圧接状態に操作可能になっている。
【００３２】
前記第１、第２トレー装着部４、５に配設されている昇降手段１４は、どちらも構成が同じなので、第１トレー装着部４側の昇降手段１４のみを説明する。
前記昇降手段１４は、第１可動部材１０の当接部１０ａに当接させた状態で第１ホッパ部材９を昇降可能に支持する一対のレバー１５、１６を有している。
この一対のレバー１５、１６は、鉄板等の金属板から成り、図６に示すように、
一方側に回動支点１５ａ、１６ａを有し、他方側に自由端部１５ｂ、１６ｂを有し、この自由端部１５ｂ、１６ｂには舌辺状の押し上げ部１５ｃ、１６ｃが形成されて、外形が略Ｌ字状に形成されている。
そして一対のレバー１５、１６は、第１トレー装着部４に装着している第１用紙トレー６の、図６に示す上下の側壁６ａ、６ａの外側に、互いに対向状態で配設されている。
【００３３】
前記レバー１５は、図示下方の本体部１の側板１ｂに取り付けられた支持軸１ｄに、回動支点１５ａを取り付け、この回動支点１５ａを支点として他方側の自由端部１５ｂが昇降可能になっている。
また、レバー１６は図示上方の側板１ａに取り付けられた支持軸１ｃに、回動支点１６ａを取り付け、この回動支点１５ａを支点として他方側の自由端部１６ｂが昇降可能になっている。
前記レバー１５、１６は、自由端部１５ｂ、１６ｂが第１トレー装着部４の奥側に位置すると共に、回動支点１５ａ、１６ａが第１トレー装着部４のトレー挿入口４ａ寄りに取り付けられている。
【００３４】
また、レバー１５の押し上げ部１５ｃは、図示右側にの先端部１５ｄと、図示左側に形成された下方に所定角度で折り曲げられたストッパー部１５ｅとで構成されている。
前記レバー１６にもレバー５と同様に、押し上げ部１６ｃに先端部１５ｄ、ストッパー部１６ｅがそれそれ形成されて構成されている。
そして、レバー１５、１６の回動による自由端部１５ｂ、１６ｂの昇降により、押し上げ部１５ｃ、１６ｃが第１可動部材１０の当接部１０ａに当接して、第１可動部材１０を介して第１ホッパー部材９が昇降可能になっている。
【００３５】
また、本体部１の側板１ａ、１ｂには、図１に示すような引っ張りコイルバネから成る弾性部材１７の一方側がそれぞれ取り付けられ、弾性部材１７の他方側にはレバー１５、１６が取り付けられて、レバー１５、１６が上方に弾性付与されている。
そして、レバー１５、１６は、弾性部材１７の上方への弾性付与で、自由端部１５ｂ、１６ｂが上方に牽引されて上昇し、第１可動部材１０を介して第１ホッパー部材９を上昇させるようになっている。
【００３６】
また、昇降手段１４は、弾性部材１７の弾性付与に抗して、レバー１５、１６を押し下げ可能な一対のカム部材１８を有し、このカム部材１８は、レバー１５、１６の自由端部１５ｂ、１６ｂの上方に回動中心が位置するように配設されている。
前記カム部材１８は、図２に示すように、回転中心から半径の大きな長尺辺１８ａと、回転中心から半径の小さな短尺辺１８ｂとに挟まれた、半径の異なる円弧状のカム部１８ｃが形成されている。
また、一対のカム部材１８は、回動中心が給紙ローラ１３の回転軸１３ａと同心上に配設され、前記回動中心から離れた位置を連結軸１８ｄでそれぞれ連結されて一体化されている。
また、カム部材１８は、給紙ローラ１３の外径より若干大きい駆動部１８ｅが形成され、駆動部１８ｅの外周部の一部にはカム部材１８を回転駆動させるための複数の歯山が形成されている。
そして、図示しない駆動源から駆動部１８ｅに動力伝達されて一方のカム部材１８が回動すると、他方のカム部材１８も同時に回動するようになっている。
また、前記カム部１８ｃは、駆動部１８ｅから突出して形成されている。
【００３７】
前記カム部材１８は、回動中心が給紙ローラ１３の回転軸１３ａとは独立して回動可能になっており、駆動源（図示せず）による駆動部１８ｅの回動で、図１に示すように、長尺辺１８ａを垂直状に位置させることにより、レバー１５、１６の自由端部１５ｂ、１６ｂが降下して下方に位置するようになっている。
また、カム部材１８は、図１に示すように、半径の大きい方の長尺辺１８ａのカム部１８ｃに、凸状の位置決め部１８ｆが形成されている。
また、レバー１５、１６の自由端部１５ｂ、１６ｂには、位置決め部１８ｆが係合可能な係合部（図示せず）が形成され、カム部１８ｃでレバー１５、１６の自由端部１５ｂ、１６ｂを降下させた位置において、位置決め部１８ｆがレバー１５、１６の係合部（図示せず）に係合して、カム部材１８の回転を規制するようになっている。
【００３８】
また、図６に示すように、第１用紙トレー６を第１トレー装着部４に装着状態で、レバー１５の自由端部１５ｂが上昇時は、第１用紙トレー６のレバー係脱溝６ｃに押し上げ部１５ｃが位置する。
そして、この状態で第１用紙トレー６を第１トレー装着部４から取り出そうとして、図７に示す第１用紙トレー６に矢印Ｆ方向の加重を加えても、レバー１５の先端部１５ｄがレバー係脱溝６ｃの内周壁６ｆに当接して、第１用紙トレー６の第１トレー装着部４からの取り出しができないようになっている。
【００３９】
また、第１トレー装着部４に第１用紙トレー６が装着されてない未装着状態で、レバー１５の自由端部１５ｂが上昇時に、図８に示す第１用紙トレー６に、矢印Ｇ方向の加重を加えて、第１用紙トレー６を第１トレー装着部４に装着しようとしても、第１用紙トレー６の前端部の壁がレバー１５のストッパー部１５ｅに当接して、第１用紙トレー６の第１トレー装着部４への装着が阻止されるようになっている。
即ち、第１用紙トレー６は、カム部材１８の回転によって、レバー１５、１６の自由端部１５ｂ、１６ｂが降下時のみにおいて、第１トレー装着部４に着脱可能になっている。そのために、第１用紙トレー６の第１トレー装着部４への誤挿入を防止することができ、誤挿入による故障等を防ぐようになっている。
【００４０】
また、図１に示す記録用紙２の搬送方向Ｄの給紙ローラ１３の下流側には、それぞれ異なる形状の第１、第２用紙ガイド１９、２０が配設されている。
また、記録用紙２の搬送方向Ｄの第１、第２用紙ガイド１９、２０の下流側には、記録用紙２に印刷可能な印刷手段２１が配設されている。
この印刷手段２１を、例えば熱転写方式で説明すると、給紙ローラ１３の回転により第１、または第２用紙トレー６、７から送られてくる記録用紙２を、紙送りローラ（図示せず）と圧接ローラ（図示せず）との間に圧接狭持して、下流側のプラテン２２とサーマルヘッド２３の間に搬送する。
【００４１】
このサーマルヘッド２３は、プラテン２２に沿って往復移動可能なキャリッジ２４に搭載され、印刷時はプラテン２２側にヘッドダウン可能になっている。
また、キャリッジ２４には、所望の色のインクが塗布されたインクリボンを収納するリボンカセット２５が載置可能になっており、印刷時はプラテン２２とサーマルヘッド２３との間に記録用紙２とインクリボンとを位置させた状態で、サーマルヘッド２３をプラテン２２側にヘッドダウンさせて、サーマルヘッド２３の発熱素子を選択的に発熱させて、記録用紙にインクリボンのインクを転写して、所望の画像が印刷されるようになっている。
【００４２】
前述したような本発明のプリンタの動作は、まず、図２に示す第１、第２トレー装着部４、５のそれぞれの昇降手段１４のカム部材１８を、反時計方向に回転させる。
そして、それぞれのレバー１５、１６の自由端部１５ｂ、１６ｂを弾性部材１７の弾性付与に抗して降下させる。すると半径の大きい長尺辺１８ｂ側のカム部１８ｃに形成している位置決め部１８ｆが、レバー１５、１６の自由端部の係合部（図示せず）に係合して、カム部材１８の回転が規制される。
【００４３】
前記レバー１５、１６が降下状態の第１、第２トレー装着部４、５に、第１、第２用紙トレー６、７を挿入して装着する。
すると、第１第２用紙トレー６、７の、それぞれの位置決め部６ｅ、７ｅが第１、第２トレー装着部４、５に形成した係合部（図示せず）に係合して、第１、第２用紙トレー６、７が装着状態で位置決めされる。
【００４４】
次に、第１、第２トレー装着部４、５の、それぞれのカム部材１８を、図２の状態から図１に示すように、時計回り方向に略９０゜回転させると、半径の小さい短尺辺１８ｂ側のカム部１８ｃがレバー１５、１６の自由端部１５ｂ、１６ｂ側に位置する。
すると、自由端部１５ｂ、１６ｂが弾性部材で上方に牽引され、第１用紙トレー６の第１ホッパー９は水平状態で上昇して、収納部６ｂに収納している厚紙から成る記録用紙２の搬送方向Ｄの下流側が、給紙ローラ１３に圧接する。
また、第２用紙トレー７の第２ホッパー部材１１は回動支点１１ａを支点として他方側１１ｂが上方に回動して、Ａ４等の大サイズで薄紙から成る記録用紙２の搬送方向Ｄの下流側が、給紙ローラ１３に圧接する。
【００４５】
前記記録用紙２が給紙ローラ１３に圧接状態になると、外部からの用紙選択手段（図示せず）で、記録用紙２の種類が選択される。
そして、例えば、はがき等の厚紙から成る記録用紙２が選択されると、第１トレー装着部４側の給紙ローラ１３を反時計回り方向に回転させる。すると、収納部６ｂに収納している最上部の記録用紙２が下部の記録用紙２から分離されて、第１用紙ガイド１９を経由して印刷手段２１に搬送される。そして、印刷手段２１により記録用紙２に所望の画像が印刷されて、印刷装置２１側の紙送りローラ（図示せず）の回転で、印刷後の記録用紙２がプリンタ外部に排紙される。
【００４６】
このように、本発明のプリンタは、記録用紙２を昇降させて給紙ローラ１３に圧接状態、または非圧接状態に操作可能な昇降手段１４を有し、印刷手段２１による記録用紙２１への印刷時は、昇降手段１４によって記録用紙２を上昇させて前記圧接状態とし、印刷手段２１が非印刷時には、昇降手段１４により記録用紙２を降下させて圧接状態を解除して非圧接状態とするようになっている。
そのために、非印刷時の状態が長時間になっても、記録用紙２は給紙ローラ１３に対して非厚接状態となっているので、記録用紙２にカール等の変形が発生することが無く、印刷時に記録用紙２をスムーズに印刷手段２１側に搬送することができる。
【００４７】
本発明の説明では、本体部に第１、第２トレー装着部４、５を形成して、厚紙からなる記録用紙２を収納した第１用紙トレー６と、薄紙からなる記録用紙２を収納した第２用紙トレー７の両方を装着するようしたもので説明したが、本体部１には１つのトレー装着部を形成し、第１、第２用紙トレー６、７のいずれか一方を装着可能にしたものでも良い。
また、昇降手段１４のレバー１５、１６は、回動支点１５ａ、１６ａを支点として自由端部１５ｂ、１６ｂを回動させるように説明したが、レバー１５、１６は回動させないで、水平状態で昇降させてるようにしたものでも良い。
また、昇降手段１４の弾性部材１７は引っ張りバネで説明したが、圧縮バネでも良い。この圧縮バネの場合は、レバー１５、１６の下方に配置することで、レバー１５、１６を上方に弾性付与することができる。
【００４８】
【発明の効果】
以上述べたように、本発明のプリンタは、印刷手段による記録用紙への印刷時は、昇降手段によって記録用紙を上昇させて給紙ローラに対して圧接状態とし、印刷手段が非印刷時には、昇降手段により記録用紙を降下させて給紙ローラに対する圧接状態を解除して非圧接状態とするようにしたので、非印刷時の時間が長くなったとしても、記録用紙にカール等の変形が発生しない。
そのために、記録用紙を印刷手段側にスムーズに搬送することができ、紙ジャム等の障害を無くして操作性の良いプリンタを提供できる。
【００４９】
また、前記用紙トレーは、内部に昇降自在なホッパー部材を有し、前記記録用紙を前記ホッパー部材に載置した状態で、前記昇降手段により前記ホッパー部材を昇降させて、前記記録用紙を前記給紙ローラに対して前記圧接状態、または非圧接状態に操作するようにしたので、用紙トレーに収納した記録用紙をホッパー部材の昇降により、確実に給紙ローラに圧接状態、非圧接状態にすることができ、記録用紙を印刷時のみ給紙ローラに圧接することができる。
【００５０】
また、上下動可能な可動部材を有し、この可動部材は、前記ホッパー部材と前記昇降手段との間に介在され、前記昇降手段により前記可動部材を介して前記ホッパー部材を昇降させるようにしたので、ホッパー部材の形状を簡単にすることができると共に、用紙トレーの組立が容易になる。
【００５１】
また、前記昇降手段は、前記ホッパー部材を昇降可能に支持するレバーと、このレバーを上方に弾性付与する弾性部材と、この弾性部材の付与力に抗して前記レバーを押し下げ可能なカム部材とで構成され、前記弾性部材の付与力で前記ホッパー部材を上昇させて前記圧接状態とし、この圧接状態から前記カム部材により前記レバーを押し下げ、前記ホッパー部材を降下させて前記非圧接状態となるようにしたので、カム部材で記録用紙を給紙ローラに対して非圧接状態に確実に操作することができ、用紙トレーに収納している記録用紙にカール等の発生を防止することができる。
【００５２】
また、前記レバーは、一方側を回動支点として他方側の自由端部が回動して昇降可能となし、前記カム部材による前記自由端部の昇降により、前記ホッパー軸を介して前記ホッパー部材を昇降させるようにしたので、昇降手段の構造が簡単になり、組立が容易である。
【００５３】
また、前記カム部材は前記給紙ローラと同軸上に配設され、前記給紙ローラとは独立して回転可能となし、前記カム部材は半径の異なる円弧状のカム部が形成され、前記カム部材を回転させることにより前記レバーの前記自由端部を降下させるようにしたので、昇降手段を確実に操作して、記録用紙を給紙ローラに対して圧接状態、非圧接状態に確実にすることができ、給紙ローラによる記録用紙の搬送ミスを防止できる。
【００５４】
また、前記レバーは、前記弾性部材の付与によって前記自由端部が牽引されて上昇するようにしたので、昇降手段の構造を簡単にできる。
【００５５】
また、前記カム部材は、半径の大きい方の前記カム部に位置決め部が形成され、前記レバーは、前記自由端部に前記位置決め部が係合可能な係合部を有し、前記カム部で前記レバーを降下させた位置において、前記位置決め部が前記係合部に係合して、前記カム部材の回転を規制するようにしたので、プリンタの電源をＯＦＦしたときでも、レバーを降下させた位置においてレバーが弾性部材の付与力で上昇しようとする力を規制することができ、次にプリンタの電源をＯＮさせたときに、昇降手段を誤作動無く正常に立ち上げることができる。
【００５６】
また、トレー挿入口を有するトレー装着部を備えた本体部を有し、前記用紙トレーは、前記トレー装着部に着脱可能となし、前記昇降手段は前記トレ−装着部内に配設され、前記レバーは前記自由端部が前記トレ−装着部内の奥側に位置すると共に、前記回動支点が前記トレ−挿入口寄りに取り付けられ、前記用紙トレ−は、前記カム部材によって前記レバーの前記自由端部が降下時のみにおいて、前記トレ−装着部に着脱可能としたので、トレー装着部に用紙トレーを誤装着するのを防ぐことができ、誤装着等による故障等を無くすることができる。
【００５７】
また、前記トレ−装着部に前記用紙トレーを装着した時、前記用紙トレーに形成した位置決め部が前記トレー装着部に形成した係合部に係合して前記用紙トレーが前記トレー装着部に装着状態で位置決めされるようにしたので、装着時の用紙トレーをトレー装着部の所定位置に確実に位置させることができ、誤装着等による故障等を無くすることができる。
【００５８】
また、前記用紙トレ−は、前記レバーが係脱可能なレバー係脱溝を有し、前記用紙トレーを前記トレ−装着部に前記装着状態で、前記レバーの上昇時は、前記レバー係脱溝に前記レバーが位置して、前記用紙トレーの前記トレ−装着部からの取り出しができないようにしたので、レバー上昇時の誤操作による用紙トレーの取り出しを防いで、故障等の発生を予防することができるプリンタを提供する。
【００５９】
また、前記トレ−装着部に前記用紙トレーが非装着状態で、前記レバーの前記自由端部が上昇時は、前記用紙トレ−の前記トレ−装着部への装着を阻止するためのストッパ部を前記レバーに形成したので、板金加工等で形成されたレバーにストッパ部を形成することで、構造が簡単で、且つ確実に誤装着を防ぐことができる。
【００６０】
また、前記用紙トレ−は、前記レバーの前記自由端部の昇降によって、水平状態で昇降可能な第１ホッパー部材を有する第１用紙トレ−と、一方側を回動支点として他方側が昇降可能な第２ホッパー部材を有する第２用紙トレ−とを設け、前記本体部には、前記第１と第２用紙トレ−とを着脱可能な２つの前記装着部を有するので、厚さ、またはサイズ等が異なる記録用紙２を、必要に応じて選択して、印刷手段２０で印刷することができ、記録用紙の種類にあわせて用紙トレーを交換することがなく印刷効率の良いプリンタを提供できる。
【００６１】
また、前記第１ホッパー部材は、２本の交差状に組み合わせた支持部材により水平状態で昇降可能に支持され、前記第１ホッパー部材に載置する記録用紙は、はがき等の厚紙から成り、前記第１ホッパー部材に載置した前記厚紙から成る記録用紙を前記給紙ローラに対して水平状態で昇降させるようにしたので、はがき等の厚紙から成る記録用紙を、水平状態で確実に給紙ローラに圧接することができ、厚紙等から成る記録用紙を確実に印刷手段側に搬送することができる。
【００６２】
また、前記第２ホッパー部材に載置する記録用紙は、前記はがきより薄くてサイズの大きなコピー紙等の薄紙から成り、前記第２ホッパー部材に載置した前記薄紙から成る記録用紙を、前記第２ホッパー部材の前記他方側の昇降により、前記記録用紙の前記搬送方向の下流側を前記給紙ローラに前記圧接状態、前記非圧接状態とするようにしたので、大サイズで薄紙から成る記録用紙の昇降を、簡単な構造で行うことができる。また、用紙トレーの組立が容易である、
【図面の簡単な説明】
【図１】本発明のプリンタの要部断面図である。
【図２】本発明に係わる昇降手段を説明する要部断面図である。
【図３】本発明に係わる第１用紙トレーの側面図である。
【図４】本発明に係わる第２用紙トレーの側面図である。
【図５】本発明に係わる第１用紙トレーの装着状態を説明する要部断面図である。
【図６】本発明に係わる第１用紙トレーの装着状態を説明する要部断面図である。
【図７】本発明に係わるレバーと用紙トレーとの関係を説明する側面図である。
【図８】本発明に係わるレバーと用紙トレーとの関係を説明する側面図である
【図９】従来のプリンタの概略構造を説明する図である。
【符号の説明】
１  本体部
２  記録用紙
３  給紙部
４  第１トレー装着部
４ａ  トレー挿入口
５  第２トレー装着部
５ａ  トレー挿入口
６  第１用紙トレー
６ａ  側壁
６ｂ  収納部
６ｃ  レバー係脱溝
６ｄ  ガイド孔
６ｅ  位置決め部
７  第２用紙トレー
７ａ  側壁
７ｂ  収納部
７ｃ  レバー係脱溝
７ｄ  ガイド孔
７ｅ  位置決め部
８  支持部材
９  第１ホッパ部材
１０  第１可動部材
１１  第２ホッパー部材
１２  第２可動部材
１３  給紙ローラ
１４  昇降手段
１５、１６  レバー
１５ａ、１６ａ  回動支点
１５ｂ  １６ｂ  自由端部
１５ｅ、１６ｅ  ストッパー部
１７  弾性部材
１８  カム部材
１９  第１用紙ガイド
２０  第２用紙ガイド
２１  印刷手段
【図１】
0003679282.tif 000002
【図２】
0003679282.tif 000003
【図３】
0003679282.tif 000004
【図４】
0003679282.tif 000005
【図５】
0003679282.tif 000006
【図６】
0003679282.tif 000007
【図７】
0003679282.tif 000008
【図８】
0003679282.tif 000009
【図９】
0003679282.tif 000010